【事件の表示】
　特願２００４−１４８９０５「揺動玩具」拒絶査定不服審判事件〔平成１６年　８月１９日出願公開、特開２００４−２３０１９６〕について、次のとおり審決する。
【結　論】
　本件審判の請求は、成り立たない。
【理　由】
第１　手続の経緯
　本願は、平成１４年（２００２年）６月２５日に出願された特願２００２−１８４５７０号の特許出願の一部を分割し、平成１６年５月１９日に新たな特許出願として出願された特願２００４−１４８９０５号の特許出願であって、原審において平成１６年７月２１日付けで拒絶理由を通知したところ、平成１６年９月２７日付けの意見書と共に特許請求の範囲及び明細書を補正する同日付けの手続補正書が提出され、前記拒絶理由による平成１６年１２月３日付けの拒絶査定に対し、拒絶査定不服審判の請求が平成１７年１月１２日になされたものである。
　
第２　本願発明
　当審の審理の対象とすべき本願の発明は、平成１６年９月２７日付けの手続補正に基いて補正された特許請求の範囲の請求項１ないし請求項３に記載された事項により特定されるものであるところ、請求項１に係る発明（以下、これを「本願発明」という。）は次のとおりのものである。
　「【請求項１】　電磁コイルと永久磁石との間で磁力を作用させることによって揺動部がベースに対して揺動するように構成された揺動玩具において、前記揺動部には、前記永久磁石が付設され所定の軸を中心に揺動自在な振り子が固定され、前記電磁コイルは、前記振り子の往復動作を妨げない位置で、且つ前記振り子が垂下状態のときに該電磁コイル及び前記永久磁石の両者を見た場合に前記永久磁石に対して前記振り子の揺動方向に偏った位置に設けられ、前記電磁コイルに通電する電源としてソーラバッテリが前記ベースに設けられていることを特徴とする揺動玩具。」
　
第３　引用刊行物における記載事項
　原審における拒絶査定の理由に引用された、本願の特許出願前に頒布された刊行物である特開平７−７２８１２号公報（以下、「
引用刊行物
　「【０００１】【産業上の利用分野】この発明は揺動運動で動く玩具や室内アクセサリー置物などの駆動装置に利用されるほか、広告用として店頭に置くムービングディスプレイや、看板の一部を揺動させる駆動装置や、屋外用の揺動する彫刻造形物として利用するものである。」
　「【００１１】また請求項２記載の発明では、ＰＮＰ型とＮＰＮ型の２石のトランジスタの互いのベースを相手のコレクタに一方のトランジスタには直通的に、他方のトランジスタには時定数設定用コンデンサーで接続されている自走発振回路の、そのコンデンサーがコレクタに接続されたトランジスタの負荷として、そのコレクタに駆動コイルを接続し、その駆動コイルに前記回路から通電した場合に、駆動コイルに発生するはずの磁界の磁極に対し、異極性の相対的に吸引する磁極配置で、その駆動コイルに対して相対的に移動可能、かつ、任意の復元力で相対的に揺動運動可能にした永久磁石と、前記駆動コイルとの、どちらか一方を揺動側に、他方を固定側の、相手の揺動運動中立点から偏芯した位置に固着した手段をとっている。」
　「【００３０】次に請求項２記載の発明について、その作用を説明する。
　この発明は請求項１記載の発明の振子自己起動作用時の反発作用と異なる吸引作用で、永久磁石と駆動コイルの吸引電磁力で振子を自己起動させ、前記した請求項１の発明と同じ目的を達成するものである。
　この請求項２記載の発明は、振子側もしくは固定側のどちらかに、それぞれ固着した、駆動コイルと永久磁石との相対的吸引作用を振子の自己起動に利用しているため、振子が停止時に、若し駆動コイルに通電して電磁力が永久磁石に作用したとき、電磁吸引力で永久磁石または駆動コイルが吸引移動可能な位置範囲内にあるようにしながら、永久磁石と駆動コイルは互いに相対的に離れていることが必要になる。
　　【００３１】この請求項２の発明は振子と固定側に分かれて配設した永久磁石と駆動コイルの離れた配置から、前記回路の作用により駆動コイルに通電すると互いに電磁吸引力が作用して吸引移動し振子を起動させる、若し、図１４、図１５に示す第５の実施例のように、振子側に永久磁石１７０が付いている場合、その永久磁石１７０の移動手段が駆動コイル１４０上面を通過する構成であれば、駆動コイル１４０への短時間通電を、永久磁石１７０が駆動コイル１４０と少しの隙間で向き合う直前に止めてしまうように時定数設定用コンデンサーＣ１１の容量を決めることにより、駆動コイルと永久磁石との電磁力を無くし、永久磁石１７０が駆動コイル１４０上面を通過させて慣性作用により、振子の揺動運動を起動させることができる。
　　【００３２】起動後の揺動運動は、始め、その振幅が小さくても、永久磁石１７０が駆動コイル１４０上面に戻ってくる時点の相対移動速度が最大になることから、揺動運動の中立点近くにある駆動コイル１４０の起電力も、自走発振回路の定期的通電の時期をずらす程に大きくなり、丁度、自走発振回路の定期的通電の時期に、その永久磁石１７０が駆動コイル１４０上面から離れようとしている場合には、その通電を止め、制動力になる電磁力を発生させず、次に揺動運動で戻ってきて、永久磁石１７０が駆動コイル１４０に向かって近付こうとする時期まで、その通電開始を延ばし、駆動コイル通電による永久磁石１７０と駆動コイル１４０との電磁吸引力により揺動運動を加速附勢し、次の自走発振回路の定期的通電時期に近ずくまで慣性による揺動運動をし、次々にくる自走発振回路の定期的通電時期前後の、効率よく揺動運動を附勢できる時期を選んで、駆動コイルへの通電を行って揺動運動を持続するものである。
　　【００３３】また、請求項２の発明が、若し、図１６に示すように振子側に永久磁石が付いている場合で、その永久磁石の移動手段が駆動コイル環中央にあいた穴を貫通通過する構成であれば、駆動コイルへの短時間通電を、永久磁石が駆動コイルに引き付けられ、永久磁石のＮ，Ｓ両磁極間の中央部が駆動コイルの環中心部を通過する直前に止めてしまうように時定数設定用コンデンサーＣ１１の容量を決めることにより、駆動コイルと永久磁石との電磁力を無くし、永久磁石が駆動コイル環内を貫通通過させて慣性作用により、振子の揺動運動を起動させることができる。
　この場合、振子が自重で停止しているときの、振子の中心線上に環状の固定側に取り付けられた駆動コイルがあるとすれば、振子に取り付く永久磁石は、振子の中心線から偏芯した位置に取り付けらている。いいかえれば、振子が重力等の復元力で静止しているときの永久磁石中心位置を揺動運動の中立点とするならば、駆動コイルをその中立点から偏芯した位置の固定側に取り付けているということである。
　そのことにより、起動時に駆動コイル環内に永久磁石が吸い込まれて起動するからである。
　しかし、請求項１の発明で、若し、振子側に永久磁石が付いている場合で、その永久磁石の移動手段が駆動コイル環中央にあいた穴を貫通通過する構成であれば、前記のような、振子中心線から永久磁石の取り付け位置の偏芯を僅かなもので済ませることができる。（第７の実施例の説明で詳述する）」
　「【００５７】次に請求項２の発明にかかるもので、図１４、図１５に示す第５の実施例について説明する。
　これは図１４で示すように振子１８０が静止しているとき、振子の重心点の真上に設けたナイフエッジの刃１９０を、ナイフエッジの受け座部で受けている受け座付き梁１５０を、左右の支柱フレーム１２０で台フレーＡ１３０に枠状に支持連結した固定側フレーム１６０を構成し、その台フレーム１３０の上面で前記振子１８０の真下に駆動コイル１４０を固着させている。この駆動コイル１４０には、図示していないが第１の実施例と同じ自走発振回路が結ばれている。
　一方前記振子１８０の上端に意匠パネル１１０が取付き、その振子の下端に、振子ながて方向とほぼ直角に左に延びた磁石取り付け部材１８１を取り付け、その磁石取り付け部材１８１の片側の下部に永久磁石１７０を固着させている。
　　【００５８】このような構成の図１４のような位置状態にあるとき、既に説明した回路作用で、駆動コイル１４０に短時間通電すると、図中に示すように駆動コイル１４０上面にｓ極の磁極が発生する、すると、そのｓ磁極に永久磁石１７０の下端のＮ磁極が引き付けられ、図１５のように振子１８０が回動し、永久磁石１７０下端のＮ磁極が駆動コイル１４０の環中央線上に達した時、駆動コイル１４０への通電を止めると、図中矢印で示した方向に振子の慣性で揺動運動を起動させることが出来る。」
　「【００６７】次に請求項１と請求項２の発明を共に実施した、第９の実施例について説明する。これは図２１と図２２に示すもので、前記した第５の実施例の永久磁石と駆動コイルの相対位置関係以外は同じ構成のものである。
　その違いのある部分について説明する、振子１８０の下部に磁石取り付け部材１８１を取り付け、その磁石取り付け部材１８１の片側の下部に、第５の実施例の永久磁石に代わってコの字形のヨーク鉄板１８４を、その開口部が下向きになるように取り付け、その垂れ下がった２枚のヨークの下部内面に、図２２に示すように、扁平な永久磁石１７０ａ，１７０ｂの２個の磁石を、互いに向き合う面がＳ磁極、Ｎ磁極になるように固着させている。
　　【００６８】更に磁石取り付け部材１８１の他の片側の、振子の真下にあたる所の下部に、コの字形のヨーク鉄板１８４を、その開口部が下向きになるように取り付け、その垂れ下がった２枚のヨークの下部内面に、図２２に示すように、扁平な永久磁石１７０ｃ，１７０ｄの２個の磁石を、互いに向き合う面がＮ磁極、Ｓ磁極になるように固着させている。
　　【００６９】一方、振子のほゞ真下で、かつ、前記永久磁石１７０ａ，１７０ｂ，１７０ｃ，１７０ｄの各々対向している隙間にコイル面との間隙をとって配置し、台フレーム１３０にコイル支持部材１３０ａによって取り付けている。この時、振子が静止しているときに、図２２に示すｄの片よりを、振子真下の永久磁石１７０ｃ、１７０ｄの各磁極の中心線と、駆動コイル１４０の中心線との間にとっている。
　　【００７０】この片よりｄの方向が駆動コイル１４０の中心から右にあるので、駆動コイル１４０に通電すると、図中ｎ，ｓで示した磁極が生じ、振子真下の永久磁石１７０ｃ、１７０ｄの二つの磁石は、駆動コイル１４０から反発電磁力を受けて、図の右に向かう力を受け、振子の片側に寄せて配置した永久磁石１７０ａ、１７０ｂの二つの磁石は、駆動コイル１４０から吸引電磁力を受けて、図の右に向かう力を受け、それらの合力により振子は起動し、駆動コイル１４０への通電を永久磁石１７０ａ，１７０ｂの磁極の中心が駆動コイル１４０の中心に接近し、到達する直前に止めるようにすることで、振子の慣性作用により揺動運動を開姶するものである。
　　【００７１】この実施例の特徴は、磁気回路の空隙を最小限にすることが出来ることと、４個の永久磁石による強力な磁界中で、駆動コイルに通電する電気エネルギーが、無駄なく機械的エネルギーに変換できることであり、少受光面積の室内用太陽電池を使って、請求項３の発明でこの実施例を作動させたとしても、比較的重くて大きな意匠体を含む振子を大振幅で振らせることが出来るものである。」
　そして、引用刊行物には、明細書の発明の詳細な説明欄に記載の上記技術事項を裏付ける図１ないし図２２の図面が添付されている。
　そうしてみると、引用刊行物の上記摘記事項及び添付図面の記載からみて、前記引用刊行物には、次の発明（以下、これを、「
引用発明
　「固定側フレーム１６０側に配置された駆動コイル１４０と振子１８０側に配置された永久磁石１７０との間で磁力を作用させることによって固定側フレーム１６０に対して振子１８０からなる揺動部が揺動するように構成された揺動運動で動く玩具であって、
　前記固定側フレーム１６０は、前記振子１８０が静止しているときの振子１８０の重心点の真上に設けたナイフエッジの刃１９０をナイフエッジの受け座部で受ける受け座付き梁１５０と左右の支柱フレーム１２０と台フレーム１３０とで枠状に支持連結された構成され、
　前記駆動コイル１４０は、前記固定側フレーム１６０の前記台フレーム１３０の上面の前記振子１８０の真下の位置に固着され、
　そして、前記永久磁石１７０は、電源として設けられる室内用太陽電池から前記駆動コイル１４０に通電したときに該駆動コイル１４０に発生する磁界の磁極と異極性の相対的に吸引する磁極配置となるように、前記振子１８０の下端に振子ながて方向とほぼ直角に取り付けられた左に延びた磁石取り付け部材１８１の片側の下部に永久磁石１７０が固着されるとともに、前記振子１８０の上端には意匠パネル１１０が取付けられた揺動運動で動く玩具」
　
第４　当審の判断
１．対比及び一致点・相違点
（１）　本願発明と上記引用発明とを対比すると、引用発明の「駆動コイル１４０」「永久磁石１７０」「固定側フレーム１６０」「ナイフエッジの刃１９０」「振子１８０」「室内用太陽電池」及び「揺動運動で動く玩具」のそれぞれが、本願発明の「電磁コイル」「永久磁石」「ベース」「所定の軸」「振り子」「ソーラバッテリ」及び「揺動玩具」に対応する。
（２）　また、引用発明の「前記駆動コイル１４０は、前記固定側フレーム１６０の前記台フレーム１３０の上面の前記振子１８０の真下の位置に固着され、」の構成は、駆動コイル１４０の固着される位置が、固定側フレーム１６０の台フレーム１３０の上面の振子１８０の真下の位置であって、互いに干渉しない位置関係にあることを意味し、そして、引用発明の「前記永久磁石１７０は、電源として設けられる室内用太陽電池から前記駆動コイル１４０に通電したときに該駆動コイル１４０に発生する磁界の磁極と異極性の相対的に吸引する磁極配置となるように、前記振子１８０の下端に振子ながて方向とほぼ直角に取り付けられた左に延びた磁石取り付け部材１８１の片側の下部に永久磁石１７０が固着される」の構成は、振子１８０における永久磁石１７０の固着位置が振子１８０の長手方向に対して磁石取り付け部材１８１の片側の長さ分だけ偏心していることを意味していることになるから、引用発明の前示した上記構成は、本願発明の「前記電磁コイルは、前記振り子の往復動作を妨げない位置で、且つ前記振り子が垂下状態のときに該電磁コイル及び前記永久磁石の両者を見た場合に前記永久磁石に対して前記振り子の揺動方向に偏った位置に設けられ、」に対応するものといえる。
（３）　そうすると、本願発明と引用発明とは、「電磁コイルと永久磁石との間で磁力を作用させることによって揺動部がベースに対して揺動するように構成された揺動玩具において、前記揺動部には、前記永久磁石が付設され所定の軸を中心に揺動自在な振り子が固定され、前記電磁コイルは、前記振り子の往復動作を妨げない位置で、且つ前記振り子が垂下状態のときに該電磁コイル及び前記永久磁石の両者を見た場合に前記永久磁石に対して前記振り子の揺動方向に偏った位置に設けられ、前記電磁コイルに通電する電源としてソーラバッテリが設けられている揺動玩具」である点で一致し、次の点で両者の構成が相違する。
　
相違点
　
２．相違点についての検討
　引用発明において、電磁コイルに通電する電源としてのソーラバッテリが設けるべき位置を、ソーラバッテリから電磁コイルに通電する場合に、ソーラバッテリからのリード線の存在が、ベース部に対する振り子の揺動運動に対して悪影響を与えないようにするために、電磁コイルが設けられる側のベースに設けることは、当業者が適宜必要に応じて想到できる程度のことであり、当業者が容易に採用できる設計事項にすぎない。
　そうしてみると、引用発明における駆動コイル１４０に通電する電源としての室内用太陽電池が設けられる位置として、「固定側フレーム１６０」を選択することにより、本願発明の上記相違点に係る構成を得ることは、当業者が格別の困難を要することなく容易に想到できることである。
　そして、本願発明の奏する作用効果は、引用発明から予測できる範囲内のものであって、格別顕著であるということができない。
　
３．まとめ
　したがって、本願発明は、引用発明に基いて当業者が容易に発明をすることができたものであるから、本願発明は特許法第２９条第２項の規定により特許を受けることができない。
　
第５　むすび
　以上のとおりであり、本願発明は特許法第２９条第２項の規定により特許を受けることができないから、本願は、拒絶すべきものである。
　よって、結論のとおり審決する。